(57)【要約】【課題】複数枚の３Ｄ画像を同一画面上に重ね合わせて表示する際に、重ね合わせの前後関係に応じて各３Ｄ画像の視差を調整することで画面の視認性の低下を抑えることを可能とした表示制御装置及び制御方法を提供する。【解決手段】表示制御装置１００は、ＣＰＵ１０１、表示制御部１０４、ディスプレイ１０８を備える。表示制御部１０４は、表示画面に表示する各３Ｄ画像のそれぞれについて、左右両眼画像における対応点を探索することで左右両眼画像の視差量を算出する。更に、表示制御部１０４は、ディスプレイ１０８の表示画面に３Ｄ画像を複数枚重ね合わせて配置する際に、当該３Ｄ画像の前方もしくは後方に他の３Ｄ画像が重なっているか否かを判定し、判定結果に従って各３Ｄ画像の視差量を調整する。【選択図】図６
2014229977.tif 000002
【特許請求の範囲】
【請求項１】
表示画面に対し観察者の左右両眼の視差を用いた３Ｄ画像の表示制御を行う表示制御装置であって、
前記表示画面に表示する各３Ｄ画像のそれぞれについて、左右両眼画像の視差量を算出する算出手段と、
前記表示画面に３Ｄ画像を複数枚重ね合わせて配置する際に、当該３Ｄ画像の前方もしくは後方に他の３Ｄ画像が重なっているか否かを判定する判定手段と、
前記判定手段で他の３Ｄ画像と重なると判定された場合に、重なりを有する３Ｄ画像の視差量を調整する調整手段と、
を備えることを特徴とする表示制御装置。
【請求項２】
前記算出手段は、左右両眼画像における対応点を探索することにより前記視差量を算出することを特徴とする請求項１に記載の表示制御装置。
【請求項３】
前記表示画面に任意の視差量を有する枠を作成する作成手段と、
前記作成手段により作成された枠に３Ｄ画像を割り付ける割付手段と、を備え、
前記調整手段は、前記判定手段により当該３Ｄ画像の前方に他の３Ｄ画像が重なっていると判定された場合に、前方の３Ｄ画像に作成された枠の位置を超えない状態に当該３Ｄ画像の飛び出し量を調整することを特徴とする請求項１に記載の表示制御装置。
【請求項４】
前記表示画面に任意の視差量を有する枠を作成する作成手段と、
前記作成手段により作成された枠に３Ｄ画像を割り付ける割付手段と、を備え、
前記調整手段は、前記判定手段により当該３Ｄ画像の後方に他の３Ｄ画像が重なっていると判定された場合に、後方の３Ｄ画像に作成された枠の位置を超えない状態に当該３Ｄ画像の引っ込み量を調整することを特徴とする請求項１に記載の表示制御装置。
【請求項５】
前記表示画面に表示する３Ｄ表示の視差量を０にすることにより３Ｄ表示から２Ｄ表示に切り替える切替手段を備え、
前記切替手段は、前記判定手段により当該３Ｄ画像の前方に他の３Ｄ画像が重なっていると判定された場合に、当該３Ｄ画像を３Ｄ表示から２Ｄ表示に切り替えることを特徴とする請求項１または３に記載の表示制御装置。
【請求項６】
前記飛び出し量と前記引っ込み量は、観察者の視点から前記表示画面までの視認距離と、左右両眼の間の長さである基線長と、前記表示画面での視差量を基に算出されることを特徴とする請求項３または４に記載の表示制御装置。
【請求項７】
表示画面に対し観察者の左右両眼の視差を用いた３Ｄ画像の表示制御を行う表示制御装置の制御方法であって、
前記表示画面に表示する各３Ｄ画像のそれぞれについて、左右両眼画像の視差量を算出する算出工程と、
前記表示画面に３Ｄ画像を複数枚重ね合わせて配置する際に、当該３Ｄ画像の前方もしくは後方に他の３Ｄ画像が重なっているか否かを判定する判定工程と、
前記判定工程で他の３Ｄ画像と重なると判定された場合に、重なりを有する３Ｄ画像の視差量を調整する調整工程と、
を有することを特徴とする制御方法。
【発明の詳細な説明】
【技術分野】
【０００１】
本発明は、表示制御装置に関し、特に視差によって立体視された複数の画像を同一画面内に重ねて配置する際に画像の前後関係に応じて各画像の視差量を調整する表示制御装置及び制御方法に関する。
【背景技術】
【０００２】
近年、表示部に複数の画像を表示させる表示制御装置が開発されている。例えば、記憶媒体に記録されている動画や静止画といった画像データの代表画を表示部に複数枚表示させることで、ユーザの視認性が向上し、検索を簡易化することができる。また、パーソナルコンピュータ（ＰＣ）に接続されたディスプレイに複数のウィンドウを表示することで、ユーザは複数のウィンドウを同時に確認しながら作業することができる。
【０００３】
上述した表示部に複数の画像を表示させる表示制御装置に関して、従来の表示制御装置には、一覧性及び視認性の向上を目的として画像の一部を重ね合わせて表示することで画像の前後関係を表現するものがある（例えば、特許文献１参照）。
【先行技術文献】
【特許文献】
【０００４】
【特許文献１】特開２０００−１０５７７２号公報
【発明の概要】
【発明が解決しようとする課題】
【０００５】
しかしながら、視差によって立体視された複数枚の３Ｄ（three dimensions）画像を同一画面内に重ねて表示する場合、上記従来技術の構成では次のような問題がある。手前の画像よりも後方の画像の飛び出し量が極端に多い、あるいは後方の画像よりも手前の画像の引っ込み量が極端に多い場合が存在し、ユーザの視認性が低下するといった問題がある。
【０００６】
本発明の目的は、複数枚の３Ｄ画像を同一画面上に重ね合わせて表示する際に、重ね合わせの前後関係に応じて各３Ｄ画像の視差を調整することで画面の視認性の低下を抑えることを可能とした表示制御装置及び制御方法を提供することにある。
【課題を解決するための手段】
【０００７】
上記目的を達成するため、本発明は、表示画面に対し観察者の左右両眼の視差を用いた３Ｄ画像の表示制御を行う表示制御装置であって、前記表示画面に表示する各３Ｄ画像のそれぞれについて、左右両眼画像の視差量を算出する算出手段と、前記表示画面に３Ｄ画像を複数枚重ね合わせて配置する際に、当該３Ｄ画像の前方もしくは後方に他の３Ｄ画像が重なっているか否かを判定する判定手段と、前記判定手段で他の３Ｄ画像と重なると判定された場合に、重なりを有する３Ｄ画像の視差量を調整する調整手段と、を備えることを特徴とする。
【発明の効果】
【０００８】
本発明によれば、表示画面に３Ｄ画像を複数枚重ね合わせて配置する際に当該３Ｄ画像の前方もしくは後方に他の３Ｄ画像が重なっているか否かの判定結果に従って各３Ｄ画像の視差量を調整する。即ち、複数枚の３Ｄ画像を同一画面上に重ね合わせて表示する際に重ね合わせの前後関係に応じて各３Ｄ画像の視差を調整する。これにより、画面の視認性の低下を抑えることができる。
【図面の簡単な説明】
【０００９】
【図１】本発明の実施形態に係る表示制御装置の構成例を示すブロック図である。
【図２】１対の像に対する視差量と表示面に対する飛び出し量の関係を示す図である。
【図３】１対の像に対する視差量と表示面に対する引っ込み量の関係を示す図である。
【図４】テンプレートマッチング手法を示すフローチャートである。
【図５】複数の画像を重ね合わせることで奥行き方向への立体的な画像配置を表現した画面を示す図である。
【図６】ディスプレイの画面内に配置された３Ｄ画像の視差を調整する処理を示すフローチャートである。
【図７】３Ｄ画像の配置位置における仮想奥行き方向の俯瞰図である。
【図８】視差を持った枠を作成するための左右両眼枠の例を示す図である。
【図９】左眼枠と左眼表示画像及び右眼枠と右眼表示画像を重畳した例を示す図である。
【発明を実施するための形態】
【００１０】
以下、本発明の実施形態を図面を参照しながら詳細に説明する。
【００１１】
図１は、本発明の実施形態に係る表示制御装置の構成例を示すブロック図である。
【００１２】
図１において、表示制御装置１００は、表示画面に対し観察者の左右両眼の視差を用いた３Ｄ画像の表示制御を行うものであり、一般的なパーソナルコンピュータ（ＰＣ）を用いて構成可能なものである。表示制御装置１００は、ＣＰＵ１０１、ハードディスク（ＨＤ）１０２、メモリ１０３、表示制御部１０４、入力部１０５、記憶媒体ドライブ１０６が内部バス１０９に対して接続される構成となっている。内部バス１０９に接続される各部は、内部バス１０９を介して互いにデータのやり取りを行うことができるように構成されている。
【００１３】
ハードディスク１０２には、画像データ、その他のデータ、ＣＰＵ１０１が動作するための各種プログラムなどが格納される。メモリ１０３は、例えばＲＡＭから構成される。ＣＰＵ１０１は、例えばハードディスク１０２に格納されたプログラムに従い、メモリ１０３をワークメモリとして用いて表示制御装置１００の各部を制御する。また、ＣＰＵ１０１は、プログラムに従い、後述の各フローチャートに示す処理を実行する。なお、ＣＰＵ１０１が動作するためのプログラムは、ハードディスク１０２への格納に限定されず、例えばＲＯＭ（不図示）に予め記憶しておいてもよい。
【００１４】
入力部１０５は、ユーザの操作を受け付け、操作に応じた制御信号を生成しＣＰＵ１０１に供給する。入力部１０５は、例えば、ユーザ操作を受け付ける入力デバイスとして、キーボードといった文字情報入力デバイスや、マウスやタッチパネルといったポインティングデバイスなどを有する。なお、タッチパネルは、例えば平面的に構成された入力部に対して接触された位置に応じた座標情報が出力されるようにした入力デバイスである。ＣＰＵ１０１は、入力デバイスに対してなされたユーザ操作に応じて入力部１０５で生成され供給される制御信号に基づき、プログラムに従い表示制御装置１００の各部を制御する。これにより、表示制御装置１００に対し、ユーザ操作に応じた動作を行わせることができる。
【００１５】
表示制御部１０４（算出手段、判定手段、調整手段、作成手段、割付手段、切替手段）は、ディスプレイ１０８の表示画面に対して画像を表示させるための表示信号を出力する。例えば、表示制御部１０４に対して、ＣＰＵ１０１がプログラムに従い生成した表示制御信号が供給される。表示制御部１０４は、この表示制御信号に基づき表示信号を生成してディスプレイ１０８に対して出力する。例えば、表示制御部１０４は、ＣＰＵ１０１が生成する表示制御信号に基づき、ＧＵＩ（Graphical User Interface）を構成するＧＵＩ画面をディスプレイ１０８に対して表示させる。
【００１６】
記憶媒体ドライブ１０６は、ＣＤやＤＶＤといった外部記憶媒体１０７が装着可能であり、ＣＰＵ１０１の制御に基づき、装着された外部記憶媒体１０７からのデータの読み出しや外部記憶媒体１０７に対するデータの書き込みを行う。なお、記憶媒体ドライブ１０６に装着可能な外部記憶媒体１０７としては、ＣＤやＤＶＤといったディスク記憶媒体に限定されず、例えばメモリカードなどの不揮発性の半導体メモリを用いることも可能である。
【００１７】
本実施形態の表示制御装置１００は以下の特徴を有する。表示画面に表示する各３Ｄ画像のそれぞれについて、左右両眼画像の視差量を算出する。この場合、左右両眼画像における対応点を探索することにより前記視差量を算出する。また、ディスプレイ１０８の表示画面に任意の視差量を有する枠を作成し、枠に３Ｄ画像を割り付ける。また、ディスプレイ１０８の表示画面に３Ｄ画像を複数枚重ね合わせて配置する際に、当該３Ｄ画像の前方もしくは後方に他の３Ｄ画像が重なっているか否かを判定し、判定結果に従って各３Ｄ画像の視差量を調整する。
【００１８】
当該３Ｄ画像の前方に他の３Ｄ画像が重なっている場合は、前方の３Ｄ画像に作成された枠の位置を超えない状態に当該３Ｄ画像の飛び出し量を調整する。また、当該３Ｄ画像の後方に他の３Ｄ画像が重なっている場合は、後方の３Ｄ画像に作成された枠の位置を超えない状態に当該３Ｄ画像の引っ込み量を調整する。詳細は以下で後述する。
【００１９】
次に、本実施形態の表示制御装置１００の表示制御の対象となる３Ｄ画像について説明する。３Ｄ画像を形成する方法として、視差（右眼と左眼で見える像の位置の差異）を持ったステレオ画像を観察者の左右の眼それぞれに独立して観察させる方法が知られている。
【００２０】
図２は、１対の像に対する視差量と表示面に対する飛び出し量の関係を示す図である。
【００２１】
図２において、２０１は観察者の右眼、２０２は観察者の左眼、２０３は右眼に入射する像、２０４は左眼に入射する像、２０５は結像点、２０６は画面を表す。図２において観察者は結像点２０５に像を観察するため像が立体的に飛び出して見える。視点から画面２０６までの視認距離をＬ、右眼２０１と左眼２０２の間の長さである基線長をｅ、画面２０６上での視差量をｄｆとすると、結像点２０５から画面２０６までの飛び出し量Ｚｆは下記の式（１）で表される。
【００２２】
【数１】
2014229977.tif 000003
【００２３】
図３は、１対の像に対する視差量と表示面に対する引っ込み量の関係を示す図である。
【００２４】
図３において、３０１は観察者の右眼、３０２は観察者の左眼、３０３は右眼に入射する像、３０４は左眼に入射する像、３０５は結像点、３０６は画面を表す。図３において観察者は結像点３０５に像を観察するため像は画面より奥に沈み込んで見える。視点から画面３０６までの視認距離をＬ、右眼３０１と左眼３０２の間の長さである基線長をｅ、画面３０６上での視差量をｄｂとすると、画面３０６から結像点３０５までの引っ込み量（沈み込み量）Ｚｂは下記の式（２）で表される。
【００２５】
【数２】
2014229977.tif 000004
【００２６】
式（１）、式（２）より、基線長及び視認距離を固定した場合、３Ｄ画像における飛び出し量及び引っ込み量は、左右両眼画像の視差量によって一意に決まる。更に、図３のように右眼に入射する像３０３が左眼に入射する像３０４よりも右側にある状態を、視差量及び飛び出し量が負であると考える。視点から画面３０６までの視認距離をＬ、基線長をｅ、画面３０６上での視差量をｄとすると、飛び出し量Ｚは下記の式（３）で表される。
【００２７】
【数３】
2014229977.tif 000005
【００２８】
一方、３Ｄ画像における視差量を求めるためには、左右両眼画像の対応点を抽出する必要がある。左右両眼画像の対応点が求まれば、各画像における座標の違いから、対象画素に対する視差値を求めることができる。
【００２９】
２つの画像間の対応点を抽出する方法として、テンプレートマッチング手法がよく知られている。本実施形態においては、テンプレートマッチング手法を用いて左右両眼画像の画素対画素の対応を表す対応点を抽出する処理を説明する。以下、テンプレートマッチング手法のアルゴリズムについて図４のフローチャートを用いて説明する。ここでは、左右両眼に入射する２つの画像のうち、左眼画像を基準画像とし、右眼画像を比較画像とする。
【００３０】
図４は、テンプレートマッチング手法を示すフローチャートである。
【００３１】
図４において、表示制御装置１００のＣＰＵ１０１は基準画像（左眼画像）の中から対応点を求めたい点を注目点として設定する（ステップＳ４０１）。次に、ＣＰＵ１０１はステップＳ４０１で設定した注目点を中心とした部分領域をテンプレートとして設定する（ステップＳ４０２）。
【００３２】
次に、ＣＰＵ１０１はステップＳ４０２で設定したテンプレートを基に、比較画像（右眼画像）上での対応点を探索する（ステップＳ４０３）。ここでは、比較画像上での比較点を中心としたテンプレートと同一サイズの比較領域と、テンプレートとの相関を求めていく。相関値は、例えば比較領域内の各画素における色情報の差の合計値を用いる。次に、ＣＰＵ１０１はステップＳ４０３で求めた相関値が最小の比較点を求め、注目点の対応点として決定する（ステップＳ４０４）。
【００３３】
本実施形態では、図５に示すように表示制御装置１００のディスプレイ１０８の画面に複数の３Ｄ画像１、２、３、４を表示させる。
【００３４】
図６は、ディスプレイの画面内に配置された３Ｄ画像の視差を調整する処理を示すフローチャートである。図７は３Ｄ画像の配置位置における仮想奥行き方向の俯瞰図である。図８は、視差を持った枠を作成するための左右両眼枠の例を示す図である。図９は、左眼枠と左眼表示画像及び右眼枠と右眼表示画像を重畳した例を示す図である。表示制御装置１００の表示制御部１０４が行う制御について図６乃至図９を用いて説明する。
【００３５】
図６において、ステップＳ６０１では、表示制御装置１００のＣＰＵ１０１は表示制御対象の当該フレームにおける各３Ｄ画像の画像サイズ、及び各３Ｄ画像が配置される位置（表示位置）を設定する。３Ｄ画像が配置される位置に関しては、ディスプレイ１０８の画面水平方向と画面鉛直方向の座標位置及び仮想奥行き位置が設定される。
【００３６】
ステップＳ６０２では、表示制御部１０４は３Ｄ画像の配置位置に枠（両眼枠画像）を作成する。３Ｄ画像の配置位置における仮想奥行き方向（枠の配置される仮想奥行き位置）の俯瞰図を図７に示す。
【００３７】
図７に示すように、表示制御部１０４はディスプレイ１０８の表示画面の奥行き方向に画像の配置される列１、２、３、４・・・を設定する。更に、列ａ（列１、列２、列３、列４・・・）上に飛び出し量Ｚａを持った枠１、２、３、４・・・を作成する。更に、前方の枠ほど飛び出し量が大きくなるように飛び出し量Ｚａ（Ｚ１、Ｚ２、Ｚ３、Ｚ４・・・）を列ごとに設定する。
【００３８】
また、表示制御部１０４は画面の左下を原点とし、水平右方向にｘ座標、鉛直上方向にｙ座標を定義した時、枠ｎに関して左眼枠の中心位置のｘ座標をＬｎｘ、ｙ座標をＬｎｙ、右眼枠の中心位置のｘ座標をＲｎｘ、ｙ座標をＲｎｙとする。左眼画像における図５の画面を表示する場合にステップＳ６０２で作成される、左眼枠と右眼枠の例を図８に示す。この時、画面の視認距離をＬ、基線長をｅ、枠ｎの配置される列をａとすると、枠ｎの視差量ｄｎは上記の式（３）より下記の式（４）で表される。
【００３９】
【数４】
2014229977.tif 000006
【００４０】
また、枠ｎの視差量ｄｎは左右の枠のｘ方向の差であることから、下記の式（５）で表される。
【００４１】
【数５】
2014229977.tif 000007
【００４２】
以上より、式（４）から枠ｎの視差量ｄｎを求めた後に、式（５）を満たすように左右の枠の座標位置Ｌｎｘ  、Ｒｎｘを決定する。
【００４３】
ステップＳ６０３では、表示制御部１０４はステップＳ６０２で作成した枠の上に、表示する画像を重畳する。表示制御部１０４は左右の表示画像を枠の大きさに合わせてリサイズして枠と表示画像の大きさを等しくし、左眼枠の上に左眼表示画像を重ね合わせ、右眼枠の上に右眼表示画像を重ね合わせる。図５の画面を表示する場合にステップＳ６０３で作成される、左右の各枠に左右の各表示画像を重畳した例を図９に示す。
【００４４】
ステップＳ６０４では、表示制御部１０４は視差を調整する画像の画像番号を設定する。画像番号ｎを１に初期化することで、画像番号１の画像から順に視差調整を行う。
【００４５】
ステップＳ６０５では、表示制御部１０４は画像番号ｎ（＝１、２、３・・・）の画像（以下、画像ｎ）の前方に他の画像が重なっているか否かを判定する。画像ｎの前方に他の画像が重なっていると判断した場合はステップＳ６０６に移行し、画像ｎの前方に他の画像が重なっていないと判断した場合はステップＳ６０７に移行する。
【００４６】
ステップＳ６０６では、表示制御部１０４は上記ステップＳ６０５で画像ｎの前方に他の画像が重なっていると判断した場合に、画像ｎの飛び出し量の調整を行う。画像ｎの最大飛び出し量が、画像ｎの前方に重なっている画像に重畳されている枠の位置を超えない状態に画像ｎの視差量を調整する。画像ｎの最大飛び出し量は、上述したテンプレートマッチング手法によって算出する。
【００４７】
ここで、左右両眼画像からオブジェクトを検出し、検出されたオブジェクトごとに左右の視差量を求めることで、テンプレートマッチングを効率よく実行することができる。テンプレートマッチングによって算出された画像ｎの最大視差量から、式（３）を用いることで、画像ｎの最大飛び出し量Ｚｎｍａｘを求めることができる。画像ｎの配置された列をａとすると、下記の式（６）を満たすように視差量を調整する。
【００４８】
【数６】
2014229977.tif 000008
【００４９】
該ステップＳ６０６では、視差量が式（６）を満たさない場合に、表示制御部１０４は画像ｎの最大飛び出し量Ｚｎｍａｘを小さくする方向に左右両眼の画像を水平方向にずらし、枠からはみ出した部分をトリミングする。これにより、式（６）を満たす視差量を実現する。
【００５０】
他方、上記ステップＳ６０５で画像ｎの前方に他の画像が重なっていないと判断した場合には、表示制御部１０４は飛び出し量の調整をしない。
【００５１】
ステップＳ６０７では、表示制御部１０４は画像ｎの後方に他の画像が重なっているか否かを判定する。画像ｎの後方に他の画像が重なっていると判断した場合はステップＳ６０８に移行し、画像ｎの後方に他の画像が重なっていないと判断した場合はステップＳ６０９に移行する。
【００５２】
ステップＳ６０８では、表示制御部１０４は上記ステップＳ６０７で画像ｎの後方に他の画像が重なっていると判断した場合に、画像ｎの引っ込み量の調整を行う。上記ステップＳ６０６で視差調整した後の画像ｎの最大引っ込み量が、画像ｎの後方に重なっている画像に重畳されている枠の位置を超えない状態に画像ｎの視差量を調整する。
【００５３】
上記ステップＳ６０６と同様に、テンプレートマッチング手法によって画像ｎの最大引っ込み量を算出し、式（３）を用いることで、画像ｎの最大飛び出し量Ｚｎｍｉｎを求めることができる。画像ｎの配置された列をａとすると、下記の式（７）を満たすように視差量を調整する。
【００５４】
【数７】
2014229977.tif 000009
【００５５】
該ステップＳ６０８では、式（７）を満たさない場合に、表示制御部１０４は画像ｎの最大飛び出し量Ｚｎｍｉｎの絶対値を小さくする方向に左右両眼の画像を水平方向にずらし、枠からはみ出した部分をトリミングする。これにより、式（７）を満たす視差量を実現する。
【００５６】
他方、上記ステップＳ６０７で画像ｎの後方に他の画像が重なっていないと判断した場合には、表示制御部１０４は引っ込み量の調整をしない。
【００５７】
ここで、上記ステップＳ６０８での画像ｎの引っ込み量の調整は、必ず引っ込み量を抑制する調整を行うため、画像ｎの飛び出し量も相対的に抑制される。従って、ステップＳ６０８で視差調整を行った後に、画像ｎの最大飛び出し量が画像ｎの前方の画像に重畳された枠の位置を超えることはない。
【００５８】
なお、上記ステップＳ６０６において、左右両眼の視差をなくす（３Ｄ表示の視差量を０にする）ことで、画像を２Ｄ（two dimensions）表示させてもよい。ステップＳ６０６で画像ｎが２Ｄ表示となり、ステップＳ６０７で画像ｎの後方に他の画像が重なっていると判定された場合でも、画像ｎは２Ｄ表示であるため後方の画像の枠を超えることはなく、ステップＳ６０８では視差調整されない。即ち、最前面に配置された画像のみ３Ｄ表示され、その他の画像は２Ｄ表示される。上記のように、本実施形態では、当該３Ｄ画像の前方に他の３Ｄ画像が重なっていると判断した場合に、当該３Ｄ画像を３Ｄ表示から２Ｄ表示に切り替えることが可能である。
【００５９】
ステップＳ６０９では、表示制御部１０４は視差調整している画像の画像番号ｎが、画面に表示されている表示枚数より小さいか否かを判定する。画像番号ｎが表示枚数より小さいと判断した場合はステップＳ６１０に移行する。
【００６０】
ステップＳ６１０では、表示制御部１０４は上記ステップＳ６０９で画像番号ｎが表示枚数より小さいと判断した場合に、画像番号ｎをインクリメントし、ステップＳ６０５に戻る。
【００６１】
他方、上記ステップＳ６０９で画像番号ｎが表示枚数以上であると判断した場合には、表示制御部１０４は表示画面の全画像の視差調整が完了したものとして、画面１フレームの描画を終了する。
【００６２】
上述したように本実施形態によれば、複数枚の３Ｄ画像を同一画面上に重ね合わせて表示する際に重ね合わせの前後関係に応じて各３Ｄ画像の視差を調整する。即ち、画面の前後関係を考慮して各３Ｄ画像の飛び出し量や引っ込み量を調整する。これにより、画面の視認性の低下を抑えることができる。
【００６３】
なお、上記の説明では、画面の前後関係の考慮の仕方として、３Ｄ画像の飛びだし量または引っ込み量が、前後の画像に仮想的設定された奥行き方向の位置を超えないように調整するように説明した。
【００６４】
しかしながら、これに限るものではなく、前の画像の引っ込み量と、後ろの画像の飛び出し量を考慮し、前後の画像の少なくとも一部と視覚的な位置関係が逆にならないように調整するのでもよい。
【００６５】
また、前後の画像と、視覚的に位置関係が逆転する様な事が無い場合には、基本的には、３Ｄ画像の飛びだし量または引っ込み量の調整は行わなくてよい。
【００６６】
しかし、これに限るものではなく、例えば多くの画像をレイアウトして表示する場合に、重なりを有している他の画像群において、３Ｄ画像の飛びだし量または引っ込み量の調整が発生した場合には、相対的に他の画像群の調整を行うようにしてもよい。
【００６７】
また、上記の説明では左右両眼画像における対応点を探索することにより視差量を算出していたが、画像データに関連付けて視差量を示す情報が付与されているのであれば、その情報を利用してもよい。
【符号の説明】
【００６８】
１００  表示制御装置
１０１  ＣＰＵ
１０４  表示制御部
１０８  ディスプレイ
【図１】
2014229977.tif 000010
【図２】
2014229977.tif 000011
【図３】
2014229977.tif 000012
【図４】
2014229977.tif 000013
【図５】
2014229977.tif 000014
【図６】
2014229977.tif 000015
【図７】
2014229977.tif 000016
【図８】
2014229977.tif 000017
【図９】
2014229977.tif 000018